(57)【要約】【課題】周波数帯域を効率的に使用することでハンドオーバを行なった移動体通信端末の通信品質を低下させることなく通信を継続すること。【解決手段】基地局から移動体通信端末に向けて発信された電波を受信する受信手段と、受信した電波の少なくとも２以上の周波数帯域のそれぞれが他の移動体通信端末によって使用されているかどうか検出する検出手段と、少なくとも２以上の周波数帯域のそれぞれについて、他の移動体通信端末による使用状況に基づいて通信品質を判定する判定手段と、判定された通信品質に基づいて少なくとも２以上の周波数帯域のそれぞれに順位を付与する付与手段と、少なくとも２以上の周波数帯域の中で、付与された順位の高い周波数帯域に関する周波数帯域情報を移動体通信端末に送信する送信手段と、を有することを特徴とする。【選択図】  図１
2013157733.tif 000002
【特許請求の範囲】
【請求項１】
基地局から移動体通信端末に向けて発信された電波を受信する受信手段と、
受信した前記電波の少なくとも２以上の周波数帯域のそれぞれが他の移動体通信端末によって使用されているかどうか検出する検出手段と、
前記少なくとも２以上の周波数帯域のそれぞれについて、前記他の移動体通信端末による使用状況に基づいて通信品質を判定する判定手段と、
判定された前記通信品質に基づいて前記少なくとも２以上の周波数帯域のそれぞれに順位を付与する付与手段と、
前記少なくとも２以上の周波数帯域の中で、付与された前記順位の高い周波数帯域に関する周波数帯域情報を前記移動体通信端末に送信する送信手段と、
を有することを特徴とする無線通信装置。
【請求項２】
自機の周囲にあらかじめ定めたエリア内に進入した前記移動体通信端末を検知する検知手段をさらに含み、
前記送信手段は、前記周波数帯域情報を前記検知手段によって検知された前記移動体通信端末に送信することを特徴とする請求項１に記載の無線通信装置。
【請求項３】
前記検知手段は、近距離無線通信機能、無線ＬＡＮ通信機能、または広域測位機能を利用して自機の周囲にあらかじめ定めたエリア内に進入した前記移動体通信端末を検知することを特徴とする請求項２に記載の無線通信装置。
【請求項４】
前記検出手段は、前記基地局における前記電波の送信出力とデータの通信方式とを検出し、
前記送信手段は、さらに、前記電波の送信出力と前記データの通信方式とを送信することを特徴とする請求項１乃至３のいずれか１項に記載の無線通信装置。
【請求項５】
前記付与手段は、前記送信手段により送信された前記周波数帯域情報に対応する周波数帯域の順位を下げることを特徴とする請求項１乃至４のいずれか１項に記載の無線通信装置。
【請求項６】
前記送信手段は、前記移動体通信端末から前記周波数帯域情報の要求を受け付けると、該周波数帯域情報を送信することを特徴とする請求項１乃至５に記載の無線通信装置。
【請求項７】
基地局から移動体通信端末に向けて発信された電波を受信する受信ステップと、
受信した前記電波の少なくとも２以上の周波数帯域のそれぞれが他の移動体通信端末によって使用されているかどうか検出する検出ステップと、
前記少なくとも２以上の周波数帯域のそれぞれについて、前記他の移動体通信端末による使用状況に基づいて通信品質を判定する判定ステップと、
判定された前記通信品質に基づいて前記少なくとも２以上の周波数帯域のそれぞれに順位を付与する付与ステップと、
前記少なくとも２以上の周波数帯域の中で、付与された前記順位の高い周波数帯域に関する周波数帯域情報を前記移動体通信端末に送信する送信ステップと、
を備えることを特徴とする無線通信装置の制御方法。
【請求項８】
基地局から移動体通信端末に向けて発信された電波を受信する受信ステップと、
受信した前記電波の少なくとも２以上の周波数帯域のそれぞれが他の移動体通信端末によって使用されているかどうか検出する検出ステップと、
前記少なくとも２以上の周波数帯域のそれぞれについて、前記他の移動体通信端末による使用状況に基づいて通信品質を判定する判定ステップと、
判定された前記通信品質に基づいて前記少なくとも２以上の周波数帯域のそれぞれに順位を付与する付与ステップと、
前記少なくとも２以上の周波数帯域の中で、付与された前記順位の高い周波数帯域に関する周波数帯域情報を前記移動体通信端末に送信する送信ステップと、
をコンピュータに実行させることを特徴とする無線通信装置の制御プログラム。
【発明の詳細な説明】
【技術分野】
【０００１】
本発明は、コグニティブ無線通信における周波数帯域情報の送信技術に関する。
【背景技術】
【０００２】
上記技術分野において、特許文献１には、移動体通信端末のハンドオーバ時の通信を途切れることなく円滑に行なうために特定の周波数帯域を常に使用可能な状態に維持する技術が開示されている。
【先行技術文献】
【特許文献】
【０００３】
【特許文献１】特開2011-124630号公報
【発明の概要】
【発明が解決しようとする課題】
【０００４】
しかしながら、上記文献に記載の技術では、移動体通信端末がハンドオーバをした際に使用する周波数帯域を常に使用できるように空けておくため周波数帯域を効率的に使用することができなかった。
【０００５】
本発明の目的は、上述の課題を解決する技術を提供することにある。
【課題を解決するための手段】
【０００６】
上記目的を達成するため、本発明に係る装置は、
基地局から移動体通信端末に向けて発信された電波を受信する受信手段と、
受信した前記電波の少なくとも２以上の周波数帯域のそれぞれが他の移動体通信端末によって使用されているかどうか検出する検出手段と、
前記少なくとも２以上の周波数帯域のそれぞれについて、前記他の移動体通信端末による使用状況に基づいて通信品質を判定する判定手段と、
判定された前記通信品質に基づいて前記少なくとも２以上の周波数帯域のそれぞれに順位を付与する付与手段と、
前記少なくとも２以上の周波数帯域の中で、付与された前記順位の高い周波数帯域に関する周波数帯域情報を前記移動体通信端末に送信する送信手段と、
を有することを特徴とする。
【０００７】
上記目的を達成するため、本発明に係る方法は、
基地局から移動体通信端末に向けて発信された電波を受信する受信ステップと、
受信した前記電波の少なくとも２以上の周波数帯域のそれぞれが他の移動体通信端末によって使用されているかどうか検出する検出ステップと、
前記少なくとも２以上の周波数帯域のそれぞれについて、前記他の移動体通信端末による使用状況に基づいて通信品質を判定する判定ステップと、
判定された前記通信品質に基づいて前記少なくとも２以上の周波数帯域のそれぞれに順位を付与する付与ステップと、
前記少なくとも２以上の周波数帯域の中で、付与された前記順位の高い周波数帯域に関する周波数帯域情報を前記移動体通信端末に送信する送信ステップと、
を備えることを特徴とする。
【０００８】
上記目的を達成するため、本発明に係るプログラムは、
基地局から移動体通信端末に向けて発信された電波を受信する受信ステップと、
受信した前記電波の少なくとも２以上の周波数帯域のそれぞれが他の移動体通信端末によって使用されているかどうか検出する検出ステップと、
前記少なくとも２以上の周波数帯域のそれぞれについて、前記他の移動体通信端末による使用状況に基づいて通信品質を判定する判定ステップと、
判定された前記通信品質に基づいて前記少なくとも２以上の周波数帯域のそれぞれに順位を付与する付与ステップと、
前記少なくとも２以上の周波数帯域の中で、付与された前記順位の高い周波数帯域に関する周波数帯域情報を前記移動体通信端末に送信する送信ステップと、
をコンピュータに実行させることを特徴とする。
【発明の効果】
【０００９】
本発明によれば、周波数帯域を効率的に使用することでハンドオーバを行なった移動体通信端末の通信品質を低下させることなく通信を継続できる。
【図面の簡単な説明】
【００１０】
【図１】本発明の第１実施形態に係る無線通信装置の構成を示すブロック図である。
【図２】本発明の第２実施形態に係る無線通信装置の構成を示すブロック図である。
【図３Ａ】本発明の第２実施形態における周波数帯域の選択および送信の動作を示す図である。
【図３Ｂ】本発明の第２実施形態における周波数帯域の選択および送信の動作を示す図である。
【図３Ｃ】本発明の第２実施形態における周波数帯域の選択および送信の動作を示す図である。
【図３Ｄ】本発明の第２実施形態における周波数帯域の選択および送信の動作を示す図である。
【図３Ｅ】本発明の第２実施形態における周波数帯域の選択および送信の動作を示す図である。
【図３Ｆ】本発明の第２実施形態における周波数帯域の選択および送信の動作を示す図である。
【図４Ａ】本発明の第２実施形態における周波数帯域の選択および送信の動作を示す図である。
【図４Ｂ】本発明の第２実施形態における周波数帯域の選択および送信の動作を示す図である。
【図４Ｃ】本発明の第２実施形態における周波数帯域の選択および送信の動作を示す図である。
【図４Ｄ】本発明の第２実施形態における周波数帯域の選択および送信の動作を示す図である。
【図４Ｅ】本発明の第２実施形態における周波数帯域の選択および送信の動作を示す図である。
【図４Ｆ】本発明の第２実施形態における周波数帯域の選択および送信の動作を示す図である。
【図５】本発明の第２実施形態における周波数帯域情報のテーブルである。
【図６Ａ】本発明の第２実施形態に係る無線通信装置における検出処理の手続きの流れを示すフローチャートである。
【図６Ｂ】本発明の第２実施形態に係る無線通信装置における通信品質の周波数帯域情報の送信処理の流れを示すフローチャートである。
【図６Ｃ】本発明の第２実施形態に係る無線通信装置におけるフラグ管理の処理の流れを示すフローチャートである。
【図７Ａ】本発明の第２実施形態における移動体通信端末の手続きの流れを示すフローチャートである。
【図７Ｂ】本発明の第２実施形態における移動体通信端末の手続きの流れを示すフローチャートである。
【図８Ａ】本発明の第２実施形態に係る無線通信装置を含む無線通信システムの手続きの処理を示すシーケンス図である。
【図８Ｂ】本発明の第２実施形態に係る無線通信装置を含む無線通信システムの手続きの処理を示すシーケンス図である。
【図９】本発明の第２実施形態に係る無線通信装置のハードウェア構成を示す図である。
【発明を実施するための形態】
【００１１】
以下に、本発明を実施するための形態について、図面を参照して、例示的に詳しく説明記載する。ただし、以下の実施の形態に記載されている、構成、数値、処理の流れ、機能要素などは一例に過ぎず、その変形や変更は自由であって、本発明の技術範囲を以下の記載に限定する趣旨のものではない。
【００１２】
［第１実施形態］
本発明の第１実施形態としての無線通信装置１００について、図１を用いて説明する。無線通信装置１００は、移動体通信端末１１０が基地局１２０から受信する電波を通知する装置である。
【００１３】
図１に示すように、無線通信装置１００は、受信部１０１と、検出部１０２と、判定部１０３と、付与部１０４と、送信部１０５とを含む。
【００１４】
受信部１０１は、基地局１２０から移動体通信端末１１０に向けて発信された電波を受信する。検出部１０２は、受信した電波の少なくとも２以上の周波数帯域のそれぞれが他の移動体通信端末によって使用されているかどうか検出する。
【００１５】
判定部１０３は、少なくとも２以上の周波数帯域のそれぞれについて、他の移動体通信端末による使用状況に基づいて通信品質を判定する。付与部１０４は、判定された通信品質に基づいて少なくとも２以上の周波数帯域のそれぞれに順位を付与する。送信部１０５は、少なくとも２以上の周波数帯域の中で、付与された順位の高い周波数帯域に関する周波数帯域情報を移動体通信端末１１０に送信する。
【００１６】
以上の構成および動作によれば、本実施形態における無線通信装置は、周波数帯域を効率的に使用することでハンドオーバを行なった移動体通信端末の通信品質を低下させることなく通信を継続できる。
【００１７】
［第２実施形態］
（無線通信の概要）
電波の周波数帯域は事業サービス別に割り当てられており、互いに干渉を及ぼさないようになっている。しかし、あるサービスでは通信状態の輻輳が頻発したり、あるサービスでは通信状態が疎であるために非常に良好な状態であったりと通信品質にバラつきが生じる。また、場所や時間によって周波数帯域の使用状況も変化するため、通信品質は安定しない。
【００１８】
そこで、周波数帯域を割り当てるという概念を取り払い、電波の周波数帯域の空き状況を監視し、空き状態の周波数帯域を利用して通信を行う技術としてコグニティブ無線通信が提案されている。監視する周波数帯域は論理的に全周波数帯を対象としており、周波数の利用効率が高まる。また、逼迫している周波数資源を使用できるため、新たなサービス参入が考えられる。
【００１９】
（コグニティブ無線通信）
コグニティブ無線通信では周囲の移動体通信端末で使用している周波数帯域の状況を常に調査（検出）する技術が必要であり、空いている周波数帯域を検出するのに時間がかかるため、使用する周波数帯域を選択するのにも時間がかかる。以上のような点がコグニティブ無線通信の問題の１つとして挙げられている。
【００２０】
移動体無線通信ではセルの移動時にハンドオーバを行い、無線通信を途切れさせない必要があるところ、コグニティブ無線通信の技術を移動体無線通信に用いた場合、ハンドオーバ時に瞬時に有効周波数帯域(３kHz(VLF帯)〜３００GHz(EHF帯)の一部を含む帯域、例えば７００MHz〜３GHz)を検出して、適切な周波数帯域を選択することは困難である。また、電車や自動車のような、車両に多くの移動体通信端末の所有者が乗車している場合には、セル移動の瞬間に周波数の使用状況が劇的に変化するため、通信に適切な周波数帯域を選択することはさらに困難である。
【００２１】
（無線通信技術）
本発明の第２実施形態に係る無線通信装置２００について、図２を用いて説明する。図２は、本実施形態に係る無線通信装置２００の構成を説明するための図である。
【００２２】
無線通信装置２００は、移動体通信端末２１０、基地局２２０、基地局２２１と通信可能である。無線通信装置２００は、検知部２０１と、受信部２０２と、検出部２０３と、判定部２０４と、付与部２０５と、送信部２０６とを含む。
【００２３】
検知部２０１は、移動体通信端末２１０があらかじめ定められたエリア２４０内に入ったことを検知する。検知部２０１は、移動体通信端末２１０がエリア２４０内に入ったか否かを、近距離無線通信機能、無線ＬＡＮ通信機能、または広域測位機能を利用して位置情報を取得することで確認する。受信部２０２は、移動体通信端末２１０が通信を行なうために基地局２２１から発信された電波を受信する。本実施形態においては、移動体通信端末２１０が基地局２２１のエリア２３１方向に移動しているため、受信部２０２は、基地局２２１から発信された電波を受信する場合について説明する。
【００２４】
検出部２０３は、受信した電波の周波数帯域における、他の移動体通信端末による使用状況を検出する。判定部２０４は、使用状況を検出した周波数帯域における通信品質を判定する。付与部２０５は、判定部２０４において判定された周波数帯域の通信品質に基づいて、順位を付与する。ここで、付与部２０５は、判定した周波数帯域のうち通信品質のよい（高い）帯域から高順位を付与する。また、付与部２０５は、順位を付与した周波数帯域をリスト化したテーブル（図５）を生成し、データベースに格納する（図９の９４４）。
【００２５】
ここで、周波数帯域の通信品質が高いとは、特定の周波数帯域を使用している移動体通信端末の数が他の周波数帯域と比べて少ないこと、または受信電界強度の低い周波数帯域であることの少なくとも一方を満たしている状態をいう。
【００２６】
送信部２０６は、付与部２０５において付与された周波数帯域の順位に基づいて検知部２０１で検知された移動体通信端末２１０に、周波数帯域情報を送信する。具体的には、送信部２０６は、高順位の通信品質である周波数帯域情報を、あらかじめ定められたエリア２４０に入った移動体通信端末２１０に送信することで、移動体通信端末２１０において通信品質のよい周波数帯域を利用して通信を継続することを可能にする。無線通信装置２００は、このように周囲の周波数帯域を検出して通信品質に応じた順位を付与して、移動体通信端末２１０に通信品質のよい（高い）周波数帯域情報を送信することが可能なため、移動体ネットワークから独立して設定することができる。もちろん、無線通信装置２００を移動体ネットワークの一部に組み込んで使用することも可能である。なお、無線通信装置２００を移動体ネットワークから独立して設定した場合における通信方式として、ＬＴＥ（Long Term Evolution）、ＧＳＭ（登録商標）（Global System for Mobile Communications）、無線ＬＡＮ（Local Area Network）等を利用可能であるが、これらに限られるものではない。
【００２７】
（周波数帯域の付与および送信）
図３Ａ〜図３Ｆを用いて、無線通信装置２００を用いた周波数帯域の選択および周波数帯域情報の送信の動作について説明する。
【００２８】
図３Ａにおいて、無線通信装置２００は、基地局２２０のエリア２３０と基地局２２１のエリア２３１との境界上に位置している。移動体通信端末２１０は、基地局２２０のエリア２３０内において基地局２２０と通信を行なっているが、基地局２２１のエリア２３１に移動中である。
【００２９】
図３Ｂにおいて、移動体通信端末２１０は、基地局２２１のエリア２３１に入りセルエリアが変わるため、ハンドオーバを行なう。無線通信装置２００の検知部２０１は、移動体通信端末２１０があらかじめ定められたエリア２４０内に移動したことを検知する。このタイミングにおいて、移動体通信端末２１０は基地局２２０で用いられている高品質の周波数帯域を使用する。
【００３０】
g
図３Ｃにおいて、無線通信装置２００の検出部２０３は、移動体通信端末２１０の移動先の基地局２２１の有効周波数帯域における他の移動体通信端末による周波数帯域使用状況を検出する。周囲の周波数使用状況３０１は、検出部２０３において検出した周波数帯域のうちいずれの帯域が使用されているかを示すグラフである。判定部２０４は、周囲の周波数帯域と比べて周波数帯域ｆ２および周波数帯域ｆ３の帯域が空いており、通信品質が高いことを判定する。判定部２０４は、周囲の周波数使用状況３０１を用いて周波数帯域の通信品質を判定してもよい。判定部２０４の判定結果に基づいて、付与部２０５は、移動体通信端末２１０に送信する優先順位をｆ２、ｆ３の順に決定する。
【００３１】
図３Ｄにおいて、送信部２０６は、移動体通信端末２１０に周波数帯域ｆ２に関する周波数帯域情報を送信し、周波数帯域ｆ２の使用をすすめる。ここで、周波数帯域情報を送信するための通信方式としては、無線ＬＡＮ（Local Area Network）（IEEE802:The Institute of Electrical and Electronics Engineers, Inc.）、コグニティブパイロットチャネル（cognitive pilot channel）（IEEE1900.4）の利用が考えられるが、通信方式はこれらに限られるものではない。また周波数帯域情報には、周波数帯域の通信品質の高低だけでなく、基地局２２１における電波の送信出力やデータの通信方式を含む。これにより、無線通信装置２００から通信品質の低い周波数帯域を移動体通信端末２１０に送信することになった場合でも、適応変調が可能な端末において最適な消費電力と安定した通信を行なうことが可能である。また、上り回線または下り回線では異なる周波数帯域や通信方式を用いることが考えられるため、周波数帯域情報には上り回線または下り回線の情報を含む。
【００３２】
図３Ｅにおいて、移動体通信端末２１０は、送信部２０６から送信された周波数帯域ｆ２に関する情報に基づいて、基地局２２１において周波数帯域ｆ２を使用可能か否か確認する。周波数帯域の使用状況は刻々と変化するため、移動体通信端末２１０は送信部２０６から周波数帯域ｆ２の使用をすすめられたのと同じタイミングで、他の移動体通信端末により使用される場合も考えられる。
【００３３】
したがって、移動体通信端末２１０は、基地局２２１に周波数帯域ｆ２を使用可能か否か確認する。そして、確認した結果、周波数帯域ｆ２を使用する他の移動体通信端末が無いか少ない場合などには、移動体通信端末２１０は基地局２２１と通信を開始して周波数帯域ｆ２を使用する。
【００３４】
図３Ｆにおいて、無線通信装置２００は、基地局２２１の有効周波数帯域における他の移動体通信端末による周波数使用状況の検出を継続している。このため、無線通信装置２００の判定部２０４は、周波数帯域ｆ２の通信品質が悪化（低下）する一方で、周波数帯域ｆ４の通信品質が高いと判定すると（周囲の周波数使用状況３０２）、付与部２０５において周波数帯域の順位付けを更新する。そして、更新された順位付けにしたがって、送信部２０６は移動体通信端末２１０に周波数帯域ｆ４に関する情報を新たに送信し、ｆ４の使用をすすめる。
【００３５】
一方、無線通信装置２００から新たに高順位の周波数帯域情報が送信されない場合には、移動体通信端末２１０において通信品質の高い周波数帯域ｆ４を検出し、検出した周波数帯域ｆ４を使用可能か否か基地局２２１に確認する。周波数帯域ｆ４を使用可能であれば、移動体通信端末２１０は基地局２２１と通信を開始する（図７Ｂ）。
【００３６】
次に、図４Ａ〜図４Ｆを用いて、無線通信装置２００を用いた周波数帯域の選択、および複数の移動体通信端末２１０および移動体通信端末２１１への周波数帯域情報の送信の動作について説明する。なお、以下には、移動体通信端末が複数の場合に特有の送信の動作について説明し、図３Ａ〜図３Ｆにおける移動体通信端末が単数の場合と同様の動作についての説明は省略する。
【００３７】
図４Ａにおいて、移動体通信端末２１０と２１１は、基地局２２０のエリア２３０から基地局２２１のエリア２３１に移動中である。
【００３８】
図４Ｂにおいて、無線通信装置２００の検知部２０１は、移動体通信端末２１０と２１１とがあらかじめ定められたエリア２４０内に移動したことを検知する。
【００３９】
図４Ｃにおいて、無線通信装置２００の検出部２０３は、移動体通信端末２１０と２１１との移動先の基地局２２１における有効周波数帯域の周波数使用状況を検出する。周囲の周波数使用状況４０１は、検出部２０３において検出した周波数帯域のうちいずれの帯域が使用されているか示すグラフである。判定部２０４は、周囲の周波数帯域と比べて周波数帯域ｆ２および周波数帯域ｆ３の帯域が空いており通信品質が高いことを判定する。判定部２０４の判定結果に基づいて、付与部２０５は、送信優先順位をｆ２、ｆ３の順に決定する。
【００４０】
図４Ｄにおいて、送信部２０６は、移動体通信端末２１０に周波数帯域ｆ２に関する情報を送信してｆ２の使用をすすめる。送信部２０６は、同様に、移動体通信端末２１１に周波数帯域ｆ３に関する情報を送信してｆ３の使用をすすめる。
【００４１】
図４Ｅにおいて、移動体通信端末２１０は、送信部２０６から送信されたｆ２に関する情報に基づいて、ｆ２を使用可能か否か基地局２２１に確認する。移動体通信端末２１１は、送信部２０６から送信されたｆ３に関する情報に基づいて、ｆ３を使用可能か否か基地局２２１に確認する。
【００４２】
周波数帯域の使用状況は刻々と変化するため、移動体通信端末２１０と２１１とが送信部２０６からｆ２とｆ３との使用をすすめられたタイミングと前後して、他の移動体通信端末によりｆ２および／またはｆ３が使用される場合が考えられる。このため、移動体通信端末２１０と２１１とは、基地局２２１にｆ２および／またはｆ３を使用可能か否か確認する。確認した結果、周波数帯域ｆ２および／またはｆ３を使用可能であれば、移動体通信端末２１０と２１１とは、周波数帯域ｆ２および／またはｆ３を使用して基地局２２１との通信を開始する。
【００４３】
図４Ｆにおいて、無線通信装置２００の判定部２０４は、周波数帯域ｆ２の通信品質が低下する一方で、周波数帯域ｆ４の通信品質が高いと判定すると、付与部２０５において通信品質の高い周波数帯域の順位付けを更新する（図５の５１０および５２０）。そして、更新された順位にしたがって、送信部２０６は、移動体通信端末２１０にｆ４に関する情報を新たに送信してｆ４の使用をすすめる。一方、移動体通信端末２１１の使用する周波数帯域ｆ３は高い通信品質を維持しているため（周囲の周波数使用状況４０２）、周波数帯域の順位に変更が生じた後も、無線通信装置２００は、移動体通信端末２１１に新たな周波数帯域情報を送信しない。なお、無線通信装置２００は、ｆ３の通信品質が高い状態で維持されていても、他の周波数帯域ｆ５（不図示）の通信品質をｆ３より高いと判定した場合には、移動体通信端末２１１にｆ５に関する情報を送信してｆ５の使用をすすめる。
【００４４】
図５を用いて、付与部２０５で通信品質の高い周波数帯域順に順位を付与した周波数帯域情報テーブルについて説明する。
【００４５】
テーブル５１０は、無線通信装置２００において、移動体通信端末２１０が基地局２２１のエリア２３１に移動した際（図３Ｂ）に検出した周波数帯域における通信品質の順位を示す。順位５１１は、判定部２０４にて判定された周波数帯域の通信品質に基づいて、付与部２０５で順位を付与する。テーブル５１０および５２０は、通信品質の高い周波数帯域を上位にしたものである。周波数帯域５１２は、基地局２２１から発信される周波数帯域を受信部２０２において受信したものである。
【００４６】
テーブル５１０において、周波数帯域５１２は、通信品質の高い周波数帯域から順に、ｆ２、ｆ３、ｆ４、ｆ５、ｆ１、ｆ６、…のように順位を付与される。そして、テーブル５２０は、テーブル５１０の順位５１１を付与した後に、改めて付与部２０５において順位５１１を付与した結果である。テーブル５２０において、通信品質の高い周波数帯域は、ｆ３を第一位とし、以下、ｆ４を第二位、ｆ５を第三位、…と続く。なお、テーブル５１０では第一位の周波数帯域ｆ２は、通信品質が低下したことから順位を更新された後は第六位である。
【００４７】
このように、検出部２０３は、基地局２２１から発せられる電波の周波数帯域のそれぞれの使用状況を継続して検出するため、無線通信装置２００は、通信品質の高い周波数帯域の最新情報を逐次保有する。そして、判定部２０４は、検出部２０３にて検出される周波数帯域情報に基づいて、周波数帯域の通信品質の高低（良し悪し、または優劣）を判定する。さらに、付与部２０５は、判定部２０４にて判定された通信品質に基づいて周波数帯域の順位付けを逐次行ない順位を更新することから、移動体通信端末において、最新情報に基づく通信品質の高い周波数帯域を使用できる。
【００４８】
（フローチャート）
図６Ａは、無線通信装置２００における検出処理の手続きの流れを示すフローチャートである。ステップＳ６０１において、検出部２０３は、無線通信装置２００の周囲環境の周波数帯域の通信品質を検出する（図３Ｃ）。ステップＳ６０３において、判定部２０４は、検出部２０３が検出した結果に基づいて通信品質を判定する（図３Ｃ）。そして、付与部２０５は、判定された通信品質に基づいて移動体通信端末２１０において使用可能な周波数帯域のうち通信品質の高い周波数帯域から順に順位を付与する（図５）。
【００４９】
ステップＳ６０５において、無線通信装置２００は、通信品質の周波数帯域情報テーブル５１０（図５）を読み出して移動体通信端末２１０に送信することを禁止するために、該テーブル５１０に読出禁止フラグを立てる。ステップＳ６０７において、付与部２０５は、周波数帯域情報テーブル５１０に書込禁止フラグが立っているか否か確認し、フラグが立っていればフラグが解除されるまで順位付けを行なわない。一方、書込禁止フラグが立っていなければステップＳ６０９に進み、付与部２０５は、判定部２０４により判定された通信品質に基づいて周波数帯域情報テーブル５１０の周波数帯域の順位を更新する（図５  テーブル５２０）。
【００５０】
ステップＳ６１１において、無線通信装置２００は、周波数帯域情報テーブル５１０の順位が更新されると、周波数帯域情報テーブル５１０の読出禁止フラグを解除する。このように、通信品質の周波数帯域情報テーブル５１０の読出を禁止した上で（Ｓ６０５）、周波数帯域情報テーブル５１０の書込禁止を行なうことにより（Ｓ６０７）、無線通信装置２００の周辺の周波数帯域の通信品質を判定し、順位の付与を優先的に行なえる。これにより、無線通信装置２００は、通信品質の高い周波数帯域情報を移動体通信端末２１０に送信することが可能である。
【００５１】
一方、周波数帯域情報テーブル５１０の書込禁止を行なった上で（Ｓ６０７）、通信品質の周波数帯域情報テーブル５１０の読出を禁止することとすれば（Ｓ６０５）、周波数帯域情報を移動体通信端末２１０に対して送信することを優先的に行なうことが可能になる。すなわち、無線通信装置２００において、通信品質の高い周波数帯域情報を検出するよりも、現時点で取得している周波数帯域情報を移動体通信端末２１０に送信することを優先的に行なうことが可能である。
【００５２】
図６Ｂは無線通信装置２００における、通信品質の周波数帯域情報の送信処理の流れを示すフローチャートである。通信品質の高い周波数帯域情報を移動体通信端末に送信する処理について説明する。
【００５３】
ステップＳ６２１において、検知部２０１は、移動体通信端末２１０があらかじめ定められたエリア２４０に入ったか否か検知する（図３Ｂ）。ステップＳ６２３において、移動体通信端末２１０がエリア２４０に入ったことを検知すると、無線通信装置２００は移動体通信端末２１０と、同期を取りつつ通信を確立する。ステップＳ６２５において、検知部２０１は、移動体通信端末２１０との通信を確立したか否か確認する。通信を確立できていない場合や、通信を確立しなかった場合には、ステップＳ６２１に戻り、他の移動体通信端末がエリア２４０に入ったか否か検知する。
【００５４】
ステップＳ６２７において、無線通信装置２００は周波数帯域情報テーブル５１０に読出禁止フラグが立っているか否か確認する。この読出禁止フラグが立っている場合には、フラグが解除されるまで確認を続行する。一方、読出禁止フラグが立っていない場合には、ステップＳ６２９に進み、付与部２０５は周波数帯域情報テーブル５１０に書込禁止フラグを立てて、周波数帯域の順位の更新を回避する。
【００５５】
ステップＳ６３１において、送信部２０６は、周波数帯域情報テーブル５１０で順位が上位の周波数帯域情報を移動体通信端末２１０に送信する。なお、周波数帯域情報の送信後に、受信部２０２において移動体通信端末２１０から周波数帯域情報を受信したことの通知を取得しない場合には、付与部２０５は移動体通信端末２１０に対して周波数帯域情報を繰り返し送信してもよい。この場合には、受信部２０２において移動体通信端末２１０からの周波数帯域情報を受信したことの通知を取得すると、ステップＳ６３３に進む。
【００５６】
ステップＳ６３３において、付与部２０５は、周波数帯域情報テーブル５１０において移動体通信端末２１０に送信した周波数帯域（例えばｆ２）の順位を下げる（図５  ５２０）。これにより、移動体通信端末２１０の移動後にエリア２４０に他の移動体通信端末が移動してきた場合でも、周波数帯域ｆ２の情報を送信することはなく、複数の移動体通信端末によって同一の周波数帯域を使用して通信品質が低下することを回避できる。
【００５７】
ステップＳ６３５において、付与部２０５は、周波数帯域情報テーブル５１０の書込禁止フラグを解除する。ステップＳ６３７において、受信部２０２は、移動体通信端末２１０から周波数帯域情報の送信要求があれば、ステップＳ６２７に戻り、周波数帯域情報テーブル５１０または更新された周波数帯域情報テーブル５２０の読出を行なう。一方、移動体通信端末２１０から周波数帯域情報の送信要求が無ければ、ステップＳ６３９に進み、無線通信装置２００は移動体通信端末２１０との通信を終了する。
【００５８】
図６Ｃは、無線通信装置２００におけるフラグ処理の手続きの流れを示すフローチャートである。
ステップＳ６５１において、無線通信装置２００は、周波数帯域情報テーブル５１０に書込禁止フラグおよび読出禁止フラグが立っているか否か確認する。いずれかのフラグが立っていれば、ステップＳ６５３に進み、無線通信装置２００は、周波数帯域情報テーブル５１０の書込禁止フラグを解除する。これにより、無線通信装置２００における検出処理が、周波数帯域情報の送信処理に優先して行なわれることになる。
【００５９】
図７Ａを用いて、移動体通信端末２１０の手続きの処理について説明する。図７Ａは、使用している周波数帯域の通信品質が悪化した場合の手続きの処理である。
【００６０】
ステップＳ７０１において、無線通信装置２００を利用した周波数帯域の選択機能をオフにしている場合には、処理を終了する。選択機能をオンにしている場合には、ステップＳ７０３に進む。ステップＳ７０３において、移動体通信端末２１０は、無線通信装置２００の特定のエリア２４０に進入したか否か判定する。進入した場合にはステップＳ７０５に進み、無線通信装置２００と通信を確立する。
【００６１】
ステップＳ７０７において、無線通信装置２００から周波数帯域情報テーブル５１０に基づく周波数帯域情報が送信されているか否かチェックする。周波数帯域情報が送信されている場合には、ステップＳ７１１に進み、送信された周波数帯域情報に基づいた周波数帯域を基地局２２１において使用可能か否かチェックする（図３Ｅ）。周波数帯域を基地局２２１にて使用不可能であれば、ステップＳ７２５に進み、異なる周波数帯域情報の送信を無線通信装置２００に要求し、ステップＳ７０７に戻る。なお、ステップＳ７０７に替わり、無線通信装置２００から周波数帯域情報を受信したか否か確認し、受信できていれば、無線通信装置２００に対して周波数帯域情報を受信したことを通知してもよい。そして、周波数帯域情報を受信したことを通知した場合には、ステップＳ７１１に進み、送信された周波数帯域情報に基づいた周波数帯域情報を基地局２２１で使用可能か否かチェックする。
【００６２】
一方、無線通信装置２００から周波数帯域情報が送信されていない場合には、ステップＳ７０９に進み、無線通信装置２００との通信を終了する。そして、ステップＳ７１３において、通信品質が良好か否か判断し、通信品質が良好であればステップＳ７０１に戻る。通信品質が良好でない場合（不良）には、ステップＳ７１５に進み、移動体通信端末２１０の周囲環境の周波数帯域の通信品質を判定する。
【００６３】
ステップＳ７１７において、判定した結果に基づいて、高い通信品質の周波数帯域を選択する。ステップＳ７１９において、判定した高い通信品質の周波数帯域を使用可能か否か基地局２２１に確認する。基地局２２１においてこの周波数帯域を使用できなければ、ステップＳ７０１に戻る。一方、基地局２２１において周波数帯域を使用できれば、ステップＳ７２１に進み、判定して選択した新しい周波数帯域を使用して基地局２２１との通信を開始する。
【００６４】
ステップＳ７１１において、無線通信装置２００から送信された周波数帯域を基地局２２１で使用可能な場合には、ステップＳ７２３に進み、無線通信装置２００との通信を終了して、この周波数帯域を使用して基地局２２１との通信を開始する。
【００６５】
図７Ｂは、無線通信装置との通信を終了した後に、より高品質の周波数帯域を移動体通信端末２１０において自ら検出した場合である（図３Ｆ）。
【００６６】
ステップＳ７０９において、移動体通信端末２１０は、無線通信装置２００との通信を終了する。ステップＳ７１５に進み、移動体通信端末２１０は、周囲環境の周波数帯域の通信品質を自機で検出する。ステップＳ７５１において、現在使用している周波数帯域より高品質の周波数帯域を検出した場合には、ステップＳ７１９に進んで基地局２２１に検出した周波数帯域を使用可能か否か確認する。一方、より高品質の周波数帯域を検出できなかった場合には、ステップＳ７０１に戻る。
【００６７】
図８Ａ及び図８Ｂを用いて、無線通信装置２００を含む無線通信装置システムの手続き処理のシーケンスを示す。無線通信システムは、無線通信装置２００と、移動体通信端末２１０と、基地局２２１とを含む。
【００６８】
まず、図８Ａにおいて、移動体通信端末２１０と基地局２２１との通信がスムーズに開始された場合の手続きの処理について説明する。
【００６９】
ステップＳ８０１において、無線通信装置２００は、移動体通信端末２１０がエリア２４０に入ったことを検知すると、移動体通信端末２１０に対して通信の確立を要求する（図３Ｂ）。ステップＳ８０３において、移動体通信端末２１０は、通信の確立を承認することを通知する。
【００７０】
ステップＳ８０５において、無線通信装置２００は、周波数帯域情報を移動体通信端末２１０に送信する。移動体通信端末２１０は、周波数帯域情報を受信すると、ステップＳ８０７において、基地局２２１に対して、受信した周波数帯域情報に基づく周波数帯域を使用した通信の開始を要求する。ステップＳ８０９において、基地局２２１は、要求された周波数帯域を使用して移動体通信端末２１０との通信を開始できることを確認し、通知する。
【００７１】
ステップＳ８１１において、移動体通信端末２１０は、基地局２２１から通信開始の承認を受けつけると、無線通信装置２００に対して、通信の終了を要求する。ステップＳ８１３において、無線通信装置２００は、受けつけた通信終了の要求を承認することを移動体通信端末２１０に通知する。なお、移動体通信端末２１０は、ステップＳ８０５において、周波数帯域情報を受信すると、無線通信装置２００に対して周波数帯域情報を受信したことを通知してもよい。
【００７２】
次に、図８Ｂにおいて、移動体通信端末２１０と基地局２２１との通信の開始がスムーズに行なわれず、移動体通信端末２１０から無線通信装置２００に対して周波数帯域情報の再送信を要求する場合の手続きの処理について説明する。図８Ａと異なる処理についてのみ説明する。
【００７３】
ステップＳ８０７において、基地局２２１は、周波数帯域情報を使用した通信の開始要求を受信すると、ステップＳ８５１において、送信された周波数帯域情報を使用して移動体通信端末２１０と通信を開始することができないことを通知する。
【００７４】
ステップＳ８５３において、移動体通信端末２１０は、基地局２２１からの通知を受けて、無線通信装置２００に対して周波数帯域情報の再送信を要求する。ステップＳ８５５において、無線通信装置２００は、再送信の要求を受け付けると、通信品質の順位を更新した周波数帯域情報のテーブル５２０に基づいて改めて周波数帯域情報を送信する。ステップＳ８５７において、移動体通信端末２１０は、更新された周波数帯域情報に基づく周波数帯域を使用した通信の開始を基地局２２１に改めて要求する。ステップＳ８５９において、基地局２２１は、送信された周波数帯域を使用して移動体通信端末２１０と通信を開始できることを通知する。
【００７５】
（無線通信装置のハードウェア構成）
無線通信装置２００のハードウェア構成について、図９を用いて説明する。無線通信装置２００は、ＣＰＵ９１０、ＲＯＭ９２０、通信制御部９３０、ＲＡＭ９４０、およびストレージ９５０を備えている。ＣＰＵ９１０は中央処理部であって、様々なプログラムを実行することにより無線通信装置２００全体を制御する。ＲＯＭ９２０は、リードオンリメモリであり、ＣＰＵ９１０が最初に実行すべきブートプログラムの他、各種パラメータ等を記憶している。また、ＲＡＭ９４０は、ランダムアクセスメモリであり、エリア２４０内の移動体通信端末情報９４１と、移動体通信端末２１０との通信の確立または終了情報９４２と、周波数帯域情報の要求９４３と、周波数帯域情報テーブル５１０（５２０）とを有する。
【００７６】
一方、ストレージ９５０は、移動体通信端末２１０との通信の確立または終了プログラム９５１と、周波数帯域情報検出プログラム９５２と、移動体通信端末検知プログラム９５３と、周波数帯域情報の送信プログラム９５４とを有する。また、通信制御部９３０は、基地局２２０、２２１との通信を制御する。
【００７７】
エリア内の移動体通信端末情報９４１は、検知部２０１において検知した、あらかじめ定められたエリア２４０内に移動した移動体通信端末２１０に関する情報である。この情報には、移動体通信端末２１０において使用可能な周波数帯域情報および通信方式が含まれるが、これらに限られるものではない。通信の確立または終了情報９４２は、移動体通信端末２１０から要求された通信の確立および通信の終了についての情報である。周波数帯域情報の要求９４３は、移動体通信端末２１０から無線通信装置２００に送信された周波数帯域情報の要求である。周波数帯域情報テーブル５１０は、付与部２０５において順位を付与した周囲の周波数帯域の通信品質に関する情報であって、継続的に更新される（図５の５１０、５２０）。
【００７８】
次に、通信の確立または終了プログラム９５１は、移動体通信端末２１０からの要求を受け付けて通信の確立または通信の終了を行なう。また、無線通信装置２００から移動体通信端末２１０に対して通信の確立または通信の終了を行なう。周波数帯域情報検出プログラム９５２は、周囲の特定のエリア２４０内の周波数帯域情報の検出をあらかじめ定められたタイミングで実行する（図３Ｃ）。このタイミングは、時間的なタイミングであっても、移動体通信端末のエリア２４０内への進入を検知したタイミングであっても良く、また、これらに限られるものではない。移動体通信端末検知プログラム９５３は、エリア２４０内に進入した移動体通信端末２１０を検知する（図３Ｂ）。周波数帯域情報送信プログラム９５４は、移動体通信端末２１０との通信を確立した場合や、移動体通信端末２１０から周波数帯域情報の送信要求があった場合に、周波数帯域情報テーブル５１０に記憶する周波数帯域情報を移動体通信端末２１０に送信する。
【００７９】
以上の構成及び動作によれば、本実施形態における無線通信装置により、周波数帯域を効率的に使用することでハンドオーバを行なった移動体通信端末の通信品質を低下させることなく通信を継続できる。
【００８０】
［他の実施形態］
以上、実施形態を参照して本願発明を説明したが、本願発明は上記実施形態に限定されものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【００８１】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。
【００８２】
［実施形態の他の表現］
上記の実施形態の一部または全部は、以下の付記のようにも記載されうるが、以下には限られない。
（付記１）
基地局から移動体通信端末に向けて発信された電波を受信する受信手段と、
受信した前記電波の少なくとも２以上の周波数帯域のそれぞれが他の移動体通信端末によって使用されているかどうか検出する検出手段と、
前記少なくとも２以上の周波数帯域のそれぞれについて、前記他の移動体通信端末による使用状況に基づいて通信品質を判定する判定手段と、
判定された前記通信品質に基づいて前記少なくとも２以上の周波数帯域のそれぞれに順位を付与する付与手段と、
前記少なくとも２以上の周波数帯域の中で、付与された前記順位の高い周波数帯域に関する周波数帯域情報を前記移動体通信端末に送信する送信手段と、
を有することを特徴とする無線通信装置。
（付記２）
自機の周囲にあらかじめ定めたエリア内に進入した前記移動体通信端末を検知する検知手段をさらに含み、
前記送信手段は、前記周波数帯域情報を前記検知手段によって検知された前記移動体通信端末に送信することを特徴とする付記１に記載の無線通信装置。
（付記３）
前記検知手段は、近距離無線通信機能、無線ＬＡＮ通信機能、または広域測位機能を利用して自機の周囲にあらかじめ定めたエリア内に進入した前記移動体通信端末を検知することを特徴とする付記２に記載の無線通信装置。
（付記４）
前記検出手段は、前記基地局における前記電波の送信出力とデータの通信方式とを検出し、
前記送信手段は、さらに、前記電波の送信出力と前記データの通信方式とを送信することを特徴とする付記１乃至３のいずれか１項に記載の無線通信装置。
（付記５）
前記付与手段は、前記送信手段により送信された前記周波数帯域情報に対応する周波数帯域の順位を下げることを特徴とする付記１乃至４のいずれか１項に記載の無線通信装置。
（付記６）
前記送信手段は、前記移動体通信端末から前記周波数帯域情報の要求を受け付けると、該周波数帯域情報を送信することを特徴とする付記１乃至５に記載の無線通信装置。
（付記７）
基地局から移動体通信端末に向けて発信された電波を受信する受信ステップと、
受信した前記電波の少なくとも２以上の周波数帯域のそれぞれが他の移動体通信端末によって使用されているかどうか検出する検出ステップと、
前記少なくとも２以上の周波数帯域のそれぞれについて、前記他の移動体通信端末による使用状況に基づいて通信品質を判定する判定ステップと、
判定された前記通信品質に基づいて前記少なくとも２以上の周波数帯域のそれぞれに順位を付与する付与ステップと、
前記少なくとも２以上の周波数帯域の中で、付与された前記順位の高い周波数帯域に関する周波数帯域情報を前記移動体通信端末に送信する送信ステップと、
を備えることを特徴とする無線通信装置の制御方法。
（付記８）
基地局から移動体通信端末に向けて発信された電波を受信する受信ステップと、
受信した前記電波の少なくとも２以上の周波数帯域のそれぞれが他の移動体通信端末によって使用されているかどうか検出する検出ステップと、
前記少なくとも２以上の周波数帯域のそれぞれについて、前記他の移動体通信端末による使用状況に基づいて通信品質を判定する判定ステップと、
判定された前記通信品質に基づいて前記少なくとも２以上の周波数帯域のそれぞれに順位を付与する付与ステップと、
前記少なくとも２以上の周波数帯域の中で、付与された前記順位の高い周波数帯域に関する周波数帯域情報を前記移動体通信端末に送信する送信ステップと、
をコンピュータに実行させることを特徴とする無線通信装置の制御プログラム。
【図１】
2013157733.tif 000003
【図２】
2013157733.tif 000004
【図３Ａ】
2013157733.tif 000005
【図３Ｂ】
2013157733.tif 000006
【図３Ｃ】
2013157733.tif 000007
【図３Ｄ】
2013157733.tif 000008
【図３Ｅ】
2013157733.tif 000009
【図３Ｆ】
2013157733.tif 000010
【図４Ａ】
2013157733.tif 000011
【図４Ｂ】
2013157733.tif 000012
【図４Ｃ】
2013157733.tif 000013
【図４Ｄ】
2013157733.tif 000014
【図４Ｅ】
2013157733.tif 000015
【図４Ｆ】
2013157733.tif 000016
【図５】
2013157733.tif 000017
【図６Ａ】
2013157733.tif 000018
【図６Ｂ】
2013157733.tif 000019
【図６Ｃ】
2013157733.tif 000020
【図７Ａ】
2013157733.tif 000021
【図７Ｂ】
2013157733.tif 000022
【図８Ａ】
2013157733.tif 000023
【図８Ｂ】
2013157733.tif 000024
【図９】
2013157733.tif 000025